(57)【特許請求の範囲】
【請求項１】
法面に沿って、複数の枠部材が略格子状に組まれ、略格子状に組まれた枠部材が、法面内に定着するアンカー部材で法面に固定されることによって、法面に設置されて法面を補強する法枠であって、
前記枠部材が、紫外線により劣化分解する樹脂で天然繊維をコーティングしてなるシート材から形成された袋体と、該袋体に充填された木材チップからなる内部材と、アンカー部材が挿通される取付部材とからなり、
前記樹脂は、法面自体が安定した後に前記袋体が生分解されるようにコーティング量が調整されていることを特徴とする法枠。
【請求項２】
請求項１記載の法枠において、前記枠部材が、略Ｌ字状に形成されていることを特徴とする法枠。
【請求項３】
法面内に定着するアンカー部材が挿通される取付部材が付設された袋体に、木材チップからなる内部材を充填することによって構成された複数の枠部材を、法面に略格子状に配置するとともに、取付部材を介してアンカー部材で法面に固定して定着させる法枠の施工方法であって、
前記袋体を、紫外線により劣化分解する樹脂で天然繊維をコーティングしてなるシート材から形成し、且つ、前記樹脂のコーティング量を、法面自体が安定した後に前記袋体が生分解されるように調整することを特徴とする法枠の施工方法。
【発明の詳細な説明】
【０００１】
【発明の属する技術分野】
本発明は、例えば、トンネルの坑口、ダム、道路の側壁等の法面を補強するための法枠等に用いて好適な法枠およびその施工方法に関するものである。
【０００２】
【従来の技術】
従来より、例えばトンネルの坑口、ダム、道路の側壁等を構築するために岩盤や土砂地盤を掘削して法面を形成したとき、該法面表面の浸食を防ぐため、グリッド状に構成されたコンクリート製，鋼製，プラスチック製等の法枠が設置されている。このような法枠は、法面を細かくグリッド状に区分することによって、法面の植生基盤が浸食により大きく崩壊するのを防ぐようになっている。
【０００３】
【発明が解決しようとする課題】
しかしながら、上述したような従来の技術には以下のような問題が存在する。
まず、法枠によってグリッド状に区分された法面の各区画の植生が根付けば、基盤が安定し、この後には、法面が急斜面である場合等を除き、法枠は不要となるものである。それにも係わらず、法枠を撤去することは実質的に困難である。しかも、特にコンクリート製やプラスチック製の法枠は、周囲の景色に対して違和感があるために自然な景観が損なわれてしまうという問題がある。
さらに、法枠をコンクリート製とする場合には、施工に手間がかかるという問題がある。一方、法枠をプラスチック製や鋼製とする場合には、コンクリート製のものに比較してコストが高いという問題がある。
本発明は、以上のような点を考慮してなされたもので、容易かつ低コストで施工でき、しかも景観を損なうのを最小限に抑えることのできる法枠およびその施工方法を提供することを課題とする。
【０００４】
【課題を解決するための手段】
請求項１に係る発明は、法面に沿って、複数の枠部材が略格子状に組まれ、略格子状に組まれた枠部材が、法面内に定着するアンカー部材で法面に固定されることによって、法面に設置されて法面を補強する法枠であって、前記枠部材が、紫外線により劣化分解する樹脂で天然繊維をコーティングしてなるシート材から形成された袋体と、該袋体に充填された木材チップからなる内部材と、アンカー部材が挿通される取付部材とからなり、前記樹脂は、法面自体が安定した後に前記袋体が生分解されるようにコーティング量が調整されていることを特徴としている。
【０００５】
請求項２に係る発明は、請求項１記載の法枠において、前記枠部材が、略Ｌ字状に形成されていることを特徴としている。
【０００６】
請求項３に係る発明は、法面内に定着するアンカー部材が挿通される取付部材が付設された袋体に、木材チップからなる内部材を充填することによって構成された複数の枠部材を、法面に略格子状に配置するとともに、取付部材を介してアンカー部材で法面に固定して定着させる法枠の施工方法であって、前記袋体を、紫外線により劣化分解する樹脂で天然繊維をコーティングしてなるシート材から形成し、且つ、前記樹脂のコーティング量を、法面自体が安定した後に前記袋体が生分解されるように調整することを特徴としている。
【０００８】
【発明の実施の形態】
以下、本発明に係る法枠およびその施工方法の実施の形態の一例を、図１ないし図３を参照して説明する。
【０００９】
図１に示すように、法枠１は、法面Ｎに沿って設けられており、この法枠１は、複数の枠部材２が略格子状に配設されることによって構成されている。
【００１０】
図２に示すように、各枠部材２は、袋体３内に内部材４が充填され、さらに袋体３の両端部に取付部材５が設けられた構成となっている。図１に示したように、各枠部材２は、取付部材５に形成された取付孔５ａに、アンカー部材６を挿通させ、これを法面Ｎに定着させることによって、法面Ｎに固定されている。このとき、互いに交差する枠部材２，２は、一本のアンカー部材６で一体に固定するようにしてもよい。
【００１１】
図３に示すように、袋体３を構成するシート材１０は、綿や麻等の天然繊維から形成された布１１、あるいは前記天然繊維材料を基に形成された不織布等が、例えばポリエチレンやポリプロピレン等、紫外線により劣化する高分子系の樹脂１２によってコーティングされたものである。
【００１２】
図２に示したように袋体３内に充填する内部材４としては、現場で法枠１を設置するために伐採した樹木等の木材のチップが好適である。
【００１３】
図１に示したように、このようにして枠部材２を組み合わせることによって形成された法枠１は法面Ｎを格子状の区画Ｓに区分するようになっており、各区画Ｓには植生工を施すようになっている。
【００１４】
このような法枠１を法面Ｎに設置するには、予め袋体３内に内部材４を充填して枠部材２を作っておく。このとき、袋体３を構成するシート材１０は、植生基盤が安定した頃に劣化・生分解するよう、天然繊維からなる布１１や不織布をコーティングする樹脂１２の厚さを調整しておく。
【００１５】
そして、各枠部材２を法面Ｎに沿ってセットし、これを袋体３の両端部に設けた取付部材５，５を介してアンカー部材６で法面Ｎに定着させる。このようにして所定位置に所定数の枠部材２を設置することによって、略格子状の法枠１が設置されることとなるので、この後は必要に応じ枠部材２，２，…によって囲まれて形成された各区画Ｓに植物を植える等すればよい。
【００１６】
このようにして設置した法枠１は、時間の経過とともに、枠部材２の袋体３を構成するシート材１０の樹脂１２が紫外線により劣化分解されていく。すると、シート材１０の天然繊維からなる布１１や不織布が露出し、この後には、この布１１や不織布が腐食し、土壌微生物や甲虫類、ミミズ等の働きによって生分解されていく。さらに、布１１や不織布が生分解されると、これによって袋体３内に充填されていた伐採材チップ等の内部材４が露出することとなるが、この伐採材チップも同様にして時間の経過とともに生分解されていき、最終的には、法枠１全体が劣化分解、あるいは生分解されて土に還り、植生基盤のみが残ることとなる。
【００１７】
上述した法枠１およびその施工方法では、法枠１を構成する枠部材２が、取付部材５が付設された袋体３内に内部材４が充填されてなる構成とされ、袋体３が、天然繊維材料からなる布１１や不織布を紫外線によって劣化分解する樹脂１２によってコーティングしてなる構成とされ、さらに、内部材４には伐採材チップ等を用いる構成となっている。これにより、植生基盤が根付くまでの間は法枠１によって法面Ｎの崩壊やはらみ出しを防ぐことができる。そして、植生基盤が根付いて法面Ｎ自体が安定した頃には、袋体３と内部材４が劣化・生分解されるので、この後には植生基盤のみが残ることとなり、法面Ｎの崩壊防止効果を発揮した上で、自然な景観を醸し出すことができる。
このとき、樹脂１２の量を予め調整することによって、この樹脂１２が劣化分解される期間を調整することができるので、すなわち袋体３の布１１や不織布が生分解されて法枠１が最終的に消滅するまでの期間を任意に調整することが可能である。したがって、植生基盤が根付き、法枠１が不要となった後にも法枠１が残置されたり、逆に法枠１が植生基盤が根付くまでに袋体３が劣化・生分解されて法枠１としての機能を果たすことができなくなるといったことが起こるのを防ぐことができる。
【００１８】
しかも、内部材４に伐採材チップ等を用いることにより、現地等で生じる伐採材を再利用することができ、資源の再利用による廃棄物の減量化を図ることが可能となり、しかも法枠１の材料コストを抑えることも可能となる。加えて、枠部材２を軽量なものとすることができるので、施工を容易に行うことができる。また、伐採材チップからなる内部材４が腐食して生分解されれば、これが堆肥化され、植生基盤にとっての有機肥料となる。
【００１９】
さらに加えれば、枠部材２を予め作っておくことにより、法枠１をいわばユニット化することができ、これによって施工を容易かつ短工期で行うことが可能となる。
【００２０】
また、袋体３は布１１や不織布を樹脂１２でコーティングしたものであるため、樹脂１２のコーティング量によっては、袋体３が柔軟性を有したものとなる。これにより、袋体３を自然な形状のままの法面Ｎの表面に沿わせて配設することができるので、法面Ｎを均す必要がなくなり、その結果、施工を容易化することができ、しかも自然な景観を損なうこともない。
【００２１】
なお、上記実施の形態において、袋体３を構成するシート材１０を、綿や麻等の天然繊維材料からなる布１１や不織布をポリエチレンやポリプロピレン等の樹脂１２でコーティングする構成としたが、布１１や不織布、および樹脂１２に用いる材料は上記に限るものではなく、本発明の主旨からして、布１１や不織布については生分解する材料、樹脂１２については紫外線によって劣化分解する材料であれば、他のいかなる材料を用いても良い。ところで、このように分解消滅するシート材１０として、綿や麻等の天然繊維のみを用いることも考えられるが、天然繊維のみでは分解するまでの期間を調整することができず、またその期間も上記用途に用いるには短すぎるという問題がある。また、シート材１０として、生分解性プラスチックを用いることも考えられるが、これではコストが高いという問題がある。これに対し、上記実施の形態で示したような構成によれば、ここに挙げたような問題を回避して、十分な効果を得ることが可能である。
【００２２】
また、樹脂１２で布１１は不織布をコーティングするに際しては、樹脂１２を吹き付ける他にも、含浸等、他の方法を適宜採用することができる。
【００２４】
加えて、上記実施の形態では、袋体３の両端部に取付部材５を取り付ける構成としたが、このほかに、袋体３内に芯材を設ける等しても良く、さらにはこの芯材と取付部材５とを一体化するようにしてもよい。
【００２５】
さらに加えて、枠部材２を、図４（ａ）および（ｂ）に示すように、略Ｌ字状の枠部材２’とし、これをアンカー部材６によって定着させるようにしても良い。これにより、施工をより容易に行うことが可能となる。
もちろん、上記枠部材２、２’の組み方については何ら限定する意図はない。
【００２６】
なお、上記実施の形態では、劣化・生分解するシート材１０を法枠１に適用する構成を例に挙げたが、このようなシート材１０は、所定の期間だけ所要の機能を発揮した後には生分解することが望まれる用途、例えば、緑化シート、緑化用の土嚢、苗木ポット、土壌浸食防止シート、法面保護網等にも好適に用いることが可能である。例えば、このシート材１０を緑化用の土嚢として用いる場合には、シート材１０を袋状にし、その中に土壌と苗木を収める。そして、この土嚢を所定の場所に埋め、苗木が生長して根が張る頃に、土嚢を構成するシート材１０が紫外線劣化・生分解することにより、この後は苗木の根が周囲の地中にまで伸びることが可能となる。
このようなシート材１０は、劣化・生分解するまでの期間を、例えば芝草の緑化シートとして用いるのであれば１年程度、土嚢であれば２〜３年程度、浸食防止シートであれば５年程度、といったように、樹脂１２のコーティング厚さを変更することによって用途に応じて任意に調整することが可能であり、しかも低コストで、さらにはその取り扱いも容易である。
【００２７】
これ以外にも、本発明の主旨を逸脱しない範囲内であれば、いかなる構成を採用しても良く、また上記したような構成を適宜選択的に組み合わせたものとしても良いのは言うまでもない。
【００２８】
【発明の効果】
以上説明したように、請求項１に係る法枠によれば、略格子状の法枠を構成する枠部材が、紫外線により劣化分解する樹脂によって天然繊維をコーティングしてなるシート材によって形成された袋体と、袋体に充填された木材チップからなる内部材と、アンカー部材が挿通される取付部材とからなり、樹脂が法面自体が安定した後に袋体が生分解されるようにコーティング量が調整されている構成となっている。これにより、時間の経過とともに樹脂が劣化分解され、さらに天然繊維が生分解されるまでの間は、法枠としての機能を発揮することができる。そして植生基盤が根付くなどして法枠としての機能が不要となった頃には、袋体が分解消滅するので、自然な景観が何ら損なわれることはない。このとき、樹脂の量を予め調整することによって、袋体が分解されるまでの期間を任意に調整することが可能である。
また、内部材が木材チップである構成となっているため、木材チップとして、現地等で生じる伐採材等を再利用することによって、資源の再利用による廃棄物の減量化を図ることが可能となり、しかも材料コストを抑えることも可能となる。加えて、枠部材を軽量なものとすることができるので、施工を容易に行うことができる。また、木材チップからなる内部材が腐食して生分解されれば、これが堆肥化され、植生基盤にとっての有機肥料となる。
【００２９】
請求項２に係る法枠によれば、枠部材が、略Ｌ字状に形成されている構成となっている。これによって、施工をより容易に行うことが可能となる。
【００３０】
請求項３に係る法枠の施工方法によれば、法面内に定着するアンカー部材が挿通される取付部材が付設された袋体に、木材チップからなる内部材を充填することによって構成された複数の枠部材を、法面に略格子状に配置するとともに、取付部材を介してアンカー部材で法面に固定して定着させる法枠の施工方法であって、袋体を紫外線により劣化分解する樹脂で天然繊維をコーティングしてなるシート材から形成し、且つ、樹脂のコーティング量を法面自体が安定した後に袋体が生分解されるように調整する構成となっている。これにより、請求項１に係る法枠を実現することができる。さらに、枠部材を予め作っておくことにより、法枠をいわばユニット化することができ、これによって施工を容易かつ短工期で行うことが可能となる。
【図面の簡単な説明】
【図１】  本発明に係る法枠およびその施工方法を適用した法枠の一例を示す概略外観図である。
【図２】  前記法枠を構成する枠部材を示す斜視図である。
【図３】  前記枠部材の袋体を形成するシート材を示す拡大図である。
【図４】  本発明に係る法枠およびその施工方法を適用した法枠の他の一例を示す図であって、（ａ）前記法枠を構成する枠部材を示す斜視図、（ｂ）法枠を示す概略外観図である。
【符号の説明】
１  法枠
２  枠部材
３  袋体
４  内部材
５  取付部材
６  アンカー部材
１０  シート材
１２  樹脂
【図１】
0003713647.tif 000002
【図２】
0003713647.tif 000003
【図３】
0003713647.tif 000004
【図４】
0003713647.tif 000005